(57)【要約】【課題】開放感とストレスが取れる健康的空間と省エネルギーをもたらし、建築物内全体を明るくでき、建築コストも安くできる建築物を提供する。【解決手段】建築物１は、略全体が透明な外壁部５と略全体が透明な屋根部６とにて構成された外郭構造体２を備える。外郭構造体２の外壁部５の一部には出入口部を設ける。外郭構造体２の屋根部６の一部には空調用開口部14を設ける。外郭構造体２内には居住空間21を形成する室内空間形成体３を配設する。外壁部５および屋根部６は、いずれも耐力軸組材に透明板材が取り付けて構成する。【選択図】図１
2007146444.tif 000002
【特許請求の範囲】
【請求項１】
透明な外壁部と透明な屋根部とにて構成された外郭構造体と、
この外郭構造体に設けられた出入口部と、
前記外郭構造体内に配設され、室内空間を形成する室内空間形成体と
を備えることを特徴とする建築物。
【請求項２】
外壁部および屋根部は、いずれも耐力軸組材に透明板材が取り付けられて構成されている
ことを特徴とする請求項１記載の建築物。
【請求項３】
室内空間形成体は、少なくとも床部、この床部から立ち上がる間仕切り部およびこの間仕切り部に設けられた開口部を有する
ことを特徴とする請求項１または２記載の建築物。
【発明の詳細な説明】
【技術分野】
【０００１】
本発明は、建築物内全体を明るくできるとともに、建築コストの低減等を図ることができる住宅等の建築物に関するものである。
【背景技術】
【０００２】
従来から、戸建て住宅等の建築物では、外壁部の一部や屋根部の一部に窓等を設けて採光を確保する工夫が種々行われている。すなわち例えば、切妻屋根の棟を建物の中央から一方に寄せ、屋根の片側にふきおろしの大屋根を設けた住宅であって、大屋根の中央部分をくり貫いて開口を形成し、この開口に面した建物外壁とこの外壁と対向する建物外壁とにガラス窓を設けるとともに、これら両建物外壁に挟まれた建物内の間仕切りに開口部を設けることにより、建物内から両ガラス窓を介して建物の両側の景観を眺望できるようにした住宅が知られている（例えば、特許文献１参照）。
【特許文献１】特開２０００−３３６９５４号公報
【発明の開示】
【発明が解決しようとする課題】
【０００３】
しかしながら、上記従来の建築物のように、外壁部の一部や屋根部の一部に窓等を設けて採光を確保する構成では、建築物の外部からの太陽光等で建築物内全体を明るくすることができない。また、窓の数を増せば、建築物内をある程度まで明るくすることができるものの、防犯等の観点から窓の数だけ窓シャッターや面格子等が必要となるため、建築コストが高くなる。
【０００４】
本発明は、このような点に鑑みなされたもので、建築物内全体を明るくできるとともに、建築コストの低減等を図ることができる建築物を提供することを目的とする。
【課題を解決するための手段】
【０００５】
請求項１記載の建築物は、透明な外壁部と透明な屋根部とにて構成された外郭構造体と、この外郭構造体に設けられた出入口部と、前記外郭構造体内に配設され、室内空間を形成する室内空間形成体とを備えるものである。
【０００６】
請求項２記載の建築物は、請求項１記載の建築物において、外壁部および屋根部は、いずれも耐力軸組材に透明板材が取り付けられて構成されているものである。
【０００７】
請求項３記載の建築物は、請求項１または２記載の建築物において、室内空間形成体は、少なくとも床部、この床部から立ち上がる間仕切り部およびこの間仕切り部に設けられた開口部を有するものである。
【発明の効果】
【０００８】
本発明によれば、透明な外壁部および透明な屋根部から外部の光を採り入れることにより、建築物内全体を明るくでき、また、窓シャッターや面格子等が不要となり、建築コストの低減を図ることができる。しかも、外郭構造体を先行して作り上げてから、その外郭構造体内に室内空間形成体を配設して室内空間を形成することにより、天候に左右されることなく、外郭構造体内で建築作業ができ、工期管理上からも工期が予定通りになり、建築コストを低減できる。また、室内空間形成体が外郭構造体内に配設され、外郭構造体と室内空間形成体とが互いに切り離された状態にあることから、地震時や台風時等における水平外力に対して外郭構造体および室内空間形成体の各々が単独に対応して抵抗するため、あまり大きな安全対策を講じる必要がなく、この点からも建築コストを低減でき、しかも、外郭構造体の影響を受けることなく、室内空間形成体を自由に可変でき、増築や減築等が容易である。
【発明を実施するための最良の形態】
【０００９】
本発明の一実施の形態に係る建築物を図面を参照して説明する。
【００１０】
図１ないし図３において、１は建築物で、この建築物１は、例えば略正方形の敷地に建てられた全天候型の個人住宅（透明建築物）である。
【００１１】
建築物１は、例えばガラス製等で略全体が透明な略箱形状の外郭構造体（シェルター）２と、外郭構造体２内にこの外郭構造体２と完全に切り離された状態に配設された内部構造体である室内空間形成体３とを備えている。
【００１２】
外郭構造体２は、外的条件である地震、風（台風）、雨、雪等を遮ることができるもので、略全体が透明な略四角筒状の外壁部５と、外壁部５の上端部にこの外壁部５の上面開口を覆うように連設され略全体が透明な屋根部６とにて構成されている。なお、透明な外壁部５および透明な屋根部６は、透過率が１００％に近いものには限定されず、透過率が５０％のものや、それ以下のものでもよい。
【００１３】
これら外壁部５および屋根部６は、いずれも耐力軸組材７に不燃性の透明板材８が嵌合等により取り付けられて構成されている。耐力軸組材７は、木質材料、鋼等の金属材料、またはアルミニウム等の非金属材料等にて構成されている。透明板材８は、強化ガラス、フィルム積層ガラス、またはアクリルやポリカネードやシート状態の物等の合成樹脂等にて構成されている。
【００１４】
外郭構造体２の外壁部５の一部には居住者等が出入りするための出入口部11が設けられ、この出入口部11は開閉扉12にて開閉可能となっている。また、外郭構造体２の屋根部６の一部には、外郭構造体２内から空気を排出したり外郭構造体２内へ空気を取り入れたりするための空調用開口部14が設けられている。空調用開口部14は図示しない開閉扉にて開閉可能となっており、空調用開口部14の開口時に気温等に応じて図示しない空調機が作動して空気の出し入れが行われる。
【００１５】
室内空間形成体３は、耐力要素や非耐力要素等にて室内空間である居住空間21を形成するものである。すなわち例えば室内空間形成体３は、一階の床部22と、一階の床部22と対向する一階の天井部23と、一階の床部22から立ち上がり居住空間21を仕切る一階の間仕切り部24と、一階の間仕切り部24に設けられた玄関口や窓開口等の一階の開口部25と、二階の床部26と、二階の床部26から立ち上がり居住空間21を仕切る二階の間仕切り部27と、二階の間仕切り部27に設けられた窓開口等の二階の開口部28とを有している。
【００１６】
そして、図２に示されるように、室内空間形成体３の一階には、玄関31、ホール32、Ｌ・Ｄ・Ｋ33、洗面所34、浴室35、トイレ36および物入37が設けられている。図３に示されるように、室内空間形成体３の二階には、廊下41、２つの洋室42，43、２つの物入44，45、クローゼット46およびトイレ47が設けられている。室内空間形成体３の一階と室内空間形成体３の二階とにわたって階段48が設けられている。室内空間形成体３の二階には天井がなく、室内空間形成体３の上面が開口している。
【００１７】
なお、玄関31、ホール32、Ｌ・Ｄ・Ｋ33、洗面所34、浴室35、トイレ36，47、物入37，44，45、廊下41、洋室42，43、クローゼット46および階段48にて居住空間21が構成されている。
【００１８】
また、室内空間形成体３の外側でかつ外郭構造体２の内側に位置する土の部分50、例えば庭等には、植物51が植えられている。
【００１９】
そして、このような建築物１によれば、透明な外壁部５および透明な屋根部６から外部の光、例えば太陽光を採り入れることにより、建築物１内全体を明るくできる。
【００２０】
また、従来では外部に面した窓に対応して取り付けていた窓シャッターや面格子等が不要となり、建築コストの低減を図ることができる。
【００２１】
さらに、外郭構造体２を先行して作り上げてから、その外郭構造体２内に室内空間形成体３を配設して居住空間21を形成することにより、天候に左右されることなく、外郭構造体２内において室内空間形成体３を組み立てる等の建築作業ができ、工期管理上からも工期が予定通りになり、建築コストを低減できる。
【００２２】
また、室内空間形成体３が外郭構造体２内に配設され、外郭構造体２と室内空間形成体３とが互いに切り離された状態にあることから、地震時や台風時等における水平外力に対して外郭構造体２および室内空間形成体３の各々が単独に対応して抵抗するため、あまり大きな安全対策を講じる必要がなく、この点からも建築コストを低減できる。
【００２３】
さらに、外郭構造体２の影響を受けることなく、室内空間形成体３を自由に可変できるため、増築や減築等が容易である。
【００２４】
また、外郭構造体２内における空気の流れが容易となり、空気環境の改善にもなり、また外部から外郭構造体２内が見えることはメンテナンス面で非常に優位になる。
【００２５】
さらに、外郭構造体２内に取り入れた庭等の土の部分50も温室効果により一年中様々な植物や農作物を楽しむことができる上、建築本来の居住空間21と庭等における外部空間とが一体化し面白い空間を提供でき、自給自足への道も開ける。
【００２６】
また、雨や雪の日でも外郭構造体２内の外部空間で遊んだり、作業したりでき、また洗濯物を干す上で天候を気にしなくて済む。
【００２７】
さらに、太陽光の有効利用が容易にでき、例えば外壁部５や屋根部６に沿って配設したホース等や太陽発電パネル等を用いて、給湯や発電等に太陽光を利用することができる。
【００２８】
なお、夏の暑さ、冬の寒さ対策としては、今日の複層ガラス等の製作技術で断熱、遮熱構造が容易になり、さらに空調技術の進歩により解決すると同時に雨の日、雪の日以外は屋根部６を一部または全面的に開放するか、空気の流れ（上昇、下降）を利用して熱い空気は外郭構造体２の最頂部から抜き取ったり、庭に撒いた水の気化熱を利用する等の対策を立てることができる。
【００２９】
また、透明建築になるゆえのプライバシーの確保は、カーテンやブラインド技術が発達した今日では簡単に対応でき、また２層のガラス間に所定の材料が入れられ必要に応じて曇りガラスに変化する特殊ガラスを用いてもプライバシーを確保できるようにしてもよい。
【００３０】
なお、建築物１は、室内空間として居住空間21を有する住宅には限定されず、室内空間を有する工場や、人が集まる施設等でもよい。
【００３１】
また、外壁部５や屋根部６を耐力軸組材７に透明板材８が嵌め込んで構成したものには限定されず、外郭構造体２をガラス等の透明材のみで構成してもよい。
【図面の簡単な説明】
【００３２】
【図１】本発明の一実施の形態に係る建築物の縦断面図である。
【図２】同上建築物の一階平面図である。
【図３】同上建築物の二階平面図である。
【符号の説明】
【００３３】
１    建築物
２    外郭構造体
３    室内空間形成体
５    外壁部
６    屋根部
７    耐力軸組材
８    透明板材
11    出入口部
21    室内空間である居住空間
22，26    床部
24，27    間仕切り部
25，28    開口部
【図１】
2007146444.tif 000003
【図２】
2007146444.tif 000004
【図３】
2007146444.tif 000005